(57)【要約】      （修正有）【課題】指を疲れさせることなく模型部品をランナーから簡単に分離することができる模型部品分離治具を提供する。【解決手段】ランナーと、模型部品１０５と、該ランナーと該模型部品１０５を接続している接続部材１０６を一体に成形した模型用樹脂成形部品から模型部品１０５を分離する模型部品分離治具であって、治具本体部１１と、接続部材１０５の外径幅より大きな幅を有して治具本体部１１の一端から外側に向かって平行に延設された１対の爪部１２,１２とを有するとともに、該１対の爪部１２,１２の長さを該１対の爪部１２,１２が接続部材１０６を挟んで模型部品１０５の表面１０５ａ側から他面側に挿入された際に該爪部１２,１２の爪先端部１２ａ,１２ａが模型部品１０５の他面側に掛け止め係合できる長さにしてなる。【選択図】図７
0003157588.tif 000002
【実用新案登録請求の範囲】
【請求項１】
枠部材と、模型部品と、該枠部材と該模型部品を接続している接続部材を一体に成形した模型用樹脂成形部品から前記模型部品を分離する模型部品分離治具であって、
治具本体部と、
前記接続部材の外径幅より大きな幅を有して該治具本体部の一端から外側に向かって平行に延設された１対の爪部と、を有し、
該１対の爪部の長さを該１対の爪部が互いに前記接続部材を挟んで前記模型部品の表面側から他面側に挿入された際に該爪部の爪先端部が前記模型部品の他面側に掛け止め係合できる長さにしてなることを特徴とする模型部品分離治具。
【請求項２】
前記治具本体部の他端部に、該他端部から外側に向かって延設された断面楔状の修正用ヘラ部が形成されていることを特徴とする請求項１に記載の模型部品分離治具。
【請求項３】
前記治具本体部と前記爪部の外周側部に、該治具本体部と該爪部の外周側部から上下方向へ直角に延びる補強用側壁が一体に形成されていることを特徴とする請求項１または請求項２に記載の模型部品分離治具。
【請求項４】
前記治具本体部と前記爪部の表裏面の少なくとも一方の面には、リブが格子状に形成されていることを特徴とする請求項１乃至３に記載の模型部品分離治具。
【請求項５】
前記治具本体部には、グリップが形成されていることを特徴とする請求項１乃至４に記載の模型部品分離治具。
【請求項６】
枠部材と、模型部品と、該枠部材と該模型部品を接続している接続部材を一体に成形してなる模型用樹脂成形部品において、
前記接続部材に、該接続部材とほぼ直角に交差している枝部を設けてなることを特徴とする模型用樹脂成形部品。
【考案の詳細な説明】
【技術分野】
【０００１】
本考案は、模型部品分離治具及び模型用樹脂成形部品に関するものである。
【０００２】
従来、プラスチックを材料にした模型部品を組み立てることで、自動車やロボット等の玩具を完成させるプラスチックモデル(以下、「プラモデル」（登録商標）という)が知られている(例えば、特許文献１参照)。
【０００３】
一般に、このプラモデルの模型部品は、模型部品と、枠部材（以下、「ランナー」という）と、該枠部材と該模型部品を接続している接続部材とを一体にして、板状の模型用樹脂成形部品(以下、「模型部品アッセンブリ板」という)として成形し、これが１枚または複数枚にまとめられてユーザに提供される。
【０００４】
一方、ユーザ側では、プラモデルに付属の組立説明書の記載に従い、必要とする模型部品を、接続部材の部分において指で折り曲げて切り離し、あるいは、ニッパ等の工具を用いて模型部品アッセンブリ板から切り取って組立を行っている。また、プラモデルも複雑なものになると、多数個の模型部品を用いることが一般的であり、したがって模型部品を接続部材の部分で切り離すには、プラモデルを完成させる迄に相当回数の切り離し作業が必要になる。
【先行技術文献】
【特許文献】
【０００５】
【特許文献１】特開２００６−２６２９４４号公報
【考案の概要】
【考案が解決しようとする課題】
【０００６】
しかしながら、多数の模型部品を使用して完成させるプラモデルの場合、模型部品を指で摘んで接続部材の部分で切り離すには、手間がかかり、また、指も疲れるという問題点があった。一方、ニッパ等の工具を所有していない場合には新たに購入しなければならず、またニッパ等の工具の使用はユーザの年齢によっては危険な面があるという問題点があった。
【０００７】
そこで、本考案は、上記問題点に鑑みなされたものであって、その目的は指を疲れさせることなく模型部品をランナーから簡単に分離することができるコンパクトな模型部品分離治具を提供するものである。さらに、他の目的は、模型部品分離治具を使用して模型部品をランナーからより一層簡単に分離することができるようにする模型用樹脂成形部品を提供するものである。
【課題を解決するための手段】
【０００８】
前記課題を解決するために、本考案である模型部品分離治具は、模型部品と、ランナーと、該ランナーと該模型部品を接続している接続部材を一体に成形した模型用樹脂成形部品から前記模型部品を分離する模型部品分離治具であって、治具本体部と、前記接続部材の外径幅より大きな幅を有して該治具本体部の一端から外側に向かって平行に延設された１対の爪部とを有するとともに、該１対の爪部の長さを該１対の爪部が前記接続部材を挟んで前記模型部品の表面側から他面側に挿入された際に該爪部の爪先端部が前記模型部品の他面側に掛け止め係合できる長さに形成してなることを特徴とする。
【０００９】
この構成によれば、接続部材を爪部の間に挿入するようにして、１対の爪部を模型部品の一面側から他面側に向かって差し込み、この爪部の爪先端部を模型部品の他面側に掛け止めし、その後、治具本体部の他端を押し下げると、治具本体部と接続部材が互いに当接した部分を支点にして、治具本体部が爪部と共に回転し、このとき爪部が模型部品の他面を一面側に押し上げる。この押し上げ力は、てこの作用により接続部材と模型部品との間に大きな力となって働き、この大きな押し上げ力により模型部品が接続部材から容易に切り離される。すなわち、模型部品分離治具を小さな力で回動操作しても、接続部材と模型部品との間に大きな力が加わり、模型部品を接続部材から容易に切り離すことができる。また、コンパクトな模型部品分離治具として構成することができる。
【００１０】
上記構成において、前記治具本体部の他端部に、該他端部から外側に向かって延設された断面楔状の修正用ヘラ部が形成されている、構成を採用できる。
【００１１】
この構成によれば、組立作業の途中で、模型部品を間違えて組み付けたことに気が付いたようなときに、修正用ヘラ部を使用して間違えた部品を取り外したりすることができる。
【００１２】
上記構成において、前記治具本体部と前記爪部の外周側部に、該治具本体部と該爪部の外周側部から上下方向へ直角に延びる補強用側壁が一体に形成されている、構成を採用できる。
【００１３】
この構成によれば、補強用側壁を設けることにより、分離治具の上下回転方向における強度が向上する。したがって、切り離しを小さな力で行うことができる模型用樹脂成形部品から大きな力を必要とする模型用樹脂成形部品に至るまで、同じ模型部品分離治具を使用できる。
【００１４】
上記構成において、前記治具本体部と前記爪部の表裏面の少なくとも一方の面には、リブが格子状に形成されている、構成を採用できる。
【００１５】
この構成によれば、格子状のリブを設けることにより、分離治具の上下回転方向における強度がさらに向上する。したがって、切り離しを小さな力で行うことができる模型用樹脂成形部品からさらに大きな力を必要とする模型用樹脂成形部品に至るまで、同じ模型部品分離治具を使用できる。
【００１６】
上記構成において、前記治具本体部には、グリップが形成されている、構成を採用できる。
【００１７】
この構成によれば、手でグリップを掴んで分離治具を簡単に扱い、模型用樹脂成形部品から模型部品を容易に切り離すことができる。
【００１８】
また、本考案である模型用樹脂成形部品は、模型部品と、ランナーと、該ランナーと該模型部品を接続している接続部材を一体に成形してなる模型用樹脂成形部品において、前記接続部材に、該接続部材とほぼ直角に交差している枝部を設けてなることを特徴とする。
【００１９】
この構成による模型用樹脂成形部品は、本考案の模型部品分離治具を使用して、模型部品を接続部材から容易に切り離すのにより適した構造にしたものである。すなわち、接続部材を模型部品分離治具の爪部の間に挿入するようにして、１対の爪部を模型部品の一面側から他面側に向かって差し込み、この爪部の爪先端部を模型部品の他面側に掛け止めし、その後、治具本体部の他端を押し下げると、治具本体と枝部が互いに当接する。その後、治具本体部の他端を押し下げると、この枝部と治具本体部が互いに当接している部分を支点にして、治具本体部が爪部と共に回転し、このとき爪部が模型部品の他面を一面側に押し上げる。この押し上げ力は、てこの作用により接続部材と模型部品との間に大きな力となって働き、この大きな押し上げ力により模型部品が接続部材から容易に切り離される。
【考案の効果】
【００２０】
本考案の模型部品分離治具によれば、指に大きな力を加えなくても、この模型部品分離治具を用いて模型部品を接続部材から容易に切り離すことができる。したがって、指の疲れを低減できる。
【００２１】
一方、本考案の模型用樹脂成形部品によれば、本考案の模型部品分離治具を使用して、模型部品を接続部材から容易に切り離すことができる。
【図面の簡単な説明】
【００２２】
【図１】本考案の模型部品分離治具を示し、その斜視図である。
【図２】上面側より見た同上模型部品分離治具の平面図である。
【図３】図２のＡ−Ａ線断面図である。
【図４】図２のＢ−Ｂ線断面図である。
【図５】同上模型部品分離治具で使用する模型用樹脂成形部品の一例を示す平面図である。
【図６】同上模型部品分離治具の使用例を説明する図で、(ａ)は模型部品分離治具をセットする途中の状態、(ｂ)は模型部品分離治具をセットした状態を示している。
【図７】図５及び図６に示す模型用樹脂成形部品にセットした状態で示す同上模型部品分離治具の平面図である。
【図８】図７の状態で示す同上模型部品分離治具の側面図である。
【図９】本考案の模型用樹脂成形部品を示し、その平面図である。
【図１０】図９に示す模型用樹脂成形部品に同上模型部品分離治具を使用したときの説明図で、(ａ)は模型部品分離治具をセットする途中の状態、(ｂ)は模型部品分離治具をセットした状態を示している。
【図１１】図９及び図１０に示す模型用樹脂成形部品にセットした状態で示す同上模型部品分離治具の平面図である。
【図１２】図１１の状態で示す同上模型部品分離治具の側面図である。
【考案を実施するための形態】
【００２３】
以下、図面を参照して本考案について詳細に説明する。
【００２４】
(本考案の模型部品分離治具を使用可能な模型用樹脂成形部品の一例) 
まず、本考案の模型部品分離治具で使用する模型部品アッセンブリ板１００の一例について図５を使用して説明する。同図において、模型用樹脂成形部品としての模型部品アッセンブリ板１００は、溶融樹脂材料が射出成型機から最初に流入する半円形のメインランナー１０１と、これに続くサブランナー１０２及び外周ランナー１０３と、サブランナー１０２または外周ランナー１０３からそれぞれ分岐する枝ランナー１０４と、模型部品１０５と、各枝ランナー１０４と模型部品１０５を接続している接続部材１０６と、が一体成形されることで、板状をした模型部品アッセンブリ板として形成されている。
【００２５】
また、接続部材１０６と模型部品１０５との間には、模型部品１０５を接続部材１０６から切り離しやすくするために、接続部材１０６の他の部分よりも小さな外径にして（細く）形成されている保持部１０７が設けられている。そして、この模型部品アッセンブリ板１００は、模型部品１０５を接続部材１０６に対して上下方向に押し上げると、保持部１０７の箇所が折損し、この折損により模型部品１０５を接続部材１０６から分離することができるようになっている。なお、この種の構造をした模型部品アッセンブリ板１００は、従来から良く知られた模型部品アッセンブリ板である。
【００２６】
(本考案に係る模型部品分離治具の一実施例)
次に、本考案に係る模型部品分離治具の一実施例について図１〜図４を使用して説明する。図１〜図４は本考案に係る模型部品分離治具を示し、図１はその斜視図、図２は上面側より見たその平面図、図３は図２のＡ−Ａ線断面図、図４は図２のＢ−Ｂ線断面図である。また、以下の説明において、図２の上下方向上側を模型部品分離治具の一端側、下側を他端側とし、さらに左右方向を模型部品分離治具の左右、紙面に垂直な方向を模型部品分離治具の上下としてそれぞれ説明する。なお、各実施例における説明の全体を通して、同じ要素には同じ番号を付している。
【００２７】
同図において、模型部品分離治具１０は、樹脂性材料により形成されており、治具本体部１１と、該治具本体部１１の一端から外側に向かって平行に延設されている左右１対の爪部１２,１２と、該治具本体部１１の他端から外側に向かって延設されている修正用ヘラ部１３とを一体に有している。
【００２８】
前記１対の爪部１２,１２は、図２に示すように、間に前記接続部材１０６の外径幅より若干大きな幅を有するスリット溝１７を設けて、前記治具本体部１１の一端から外側に向かって平行に延設されてフォーク状に形成されている。また、各爪部１２,１２は、図１及び図３に示すように、スリット溝１７の奥側端である基部１２bから爪先端部１２ａに向かって厚みが徐々に薄くなり、また、爪先端部１２ａに向かって斜め上方に若干傾斜して形成されている。
【００２９】
なお、前記爪部１２,１２の基部１２ｂから爪先端部１２ａまでの長さＬ(図２参照)は、図６(ａ)に示すように、スリット溝１７内に前記接続部材１０６を差し込むようにして、治具本体部１１を模型部品アッセンブリ板１００に臨ませ、さらに該治具本体部１１を前記模型部品１０５の表面(上面)１０５ａ側から他面(下面)１０５ｂ側に向かって左右の爪部１２,１２を挿入した際、図６(ｂ),図７,図８に示すように、各爪先端部１２ａ,１２ａが模型部品１０５の他面１０５の一部に掛け止め係合できる長さに設定してある。
【００３０】
前記修正用ヘラ部１３は、治具本体部１１の他端から先端側に向かって徐々に肉厚が薄くなるようにして、断面楔状に形成されている。この修正用ヘラ部１３は、組立作業の途中に、模型部品１０５を間違えて組み付けたことに気が付いたようなときに、この修正用ヘラ部１３を組み付けた模型部品の隙間に差し込むことで間違えた部品を取り外したり、あるいは修正したりするのに使用できる。
【００３１】
また、模型部品分離治具１０の爪部１２の全周及び治具本体部１１の左右両側には、これら爪部１２の全周及び治具本体部１１の左右両側を連続した状態で囲むようにして、補強用側壁１４が一体に形成されている。この補強用側壁１４は、模型部品分離治具１０の上下面側にそれぞれ直角に突出しており、したがって治具本体部１１と補強用側壁１４との断面及び爪部１２と補強用側壁１４との断面は、図３及び図４に示すようにそれぞれ概略Ｔ字状をした断面として形成されている。なお、この補強用側壁１４は、模型部品分離治具１０の上下回転方向における強度を向上させる機能を有する。
【００３２】
また、治具本体部１１には、該治具本体部１１の左右側面における一部１１ａ,１１ａをそれぞれ内側に向けて凹ませるとともに該治具本体部１１の他端側を左右方向に膨らませて、手で模型部品分離治具１０を掴みやすくするためのグリップ１５が設けられている。
【００３３】
さらに、前記治具本体部１１と前記爪部１２,１２の表面(上面)側には、補強用のリブ１６が格子形状にして一体に形成されている。この補強用リブ１６は、前記補強用側壁１４と同様に、前記模型部品分離治具１０の上下回転方向における強度を向上させる機能を有する。なお、この補強用リブ１６は、裏面(下面)側に設けても、あるいは表裏両面に設けてもよい。
【００３４】
次に、このように構成された模型部品分離治具１０を使用して、図５に示した模型部品アッセンブリ板１００から模型部品１０５を分離する動作を、図６乃至図８を使用して説明する。まず、図６(ａ)に示すように分離して取り外す模型部品１０５を保持している接続部材１０６にスリット溝１７を対応させて、模型部品分離治具１０を模型部品１０５の上側から模型部品アッセンブリ板１００に臨ませる。また、さらに模型部品分離治具１０を模型部品アッセンブリ板２００に向けて差し込み、図６(ｂ)及び図７,図８に示すように、爪部１２,１２の各爪先端部１２ａ,１２ａを模型部品１０５の他面１０５ｂ側に掛け止めする。
【００３５】
次いで、治具本体部１１の他端を押し下げると、接続部材１０６と当接している治具本体部１１の箇所(本実施例では基部１２ｂの裏面)を支点にして、治具本体部１１が爪部１２,１２と共に回転し、このとき爪部１２,１２の爪先端部１２ａ,１２ａが模型部品１０５の他面１０５ｂを一面１０５ａ側に押し上げる。この押し上げ力は、てこの作用により接続部材１０６と模型部品１０５との間に大きな力となって働き、模型部品１０５が接続部材１０６の保持部１０７から折損して容易に分離される。
【００３６】
したがって、本考案の実施例に係る模型部品分離治具１０を使用して模型部品１０５の分離作業を行うと、模型部品分離治具１０を小さな力で回動操作しても、接続部材１０６の保持部１０７と模型部品１０５との間に大きな押し上げ力が加わり、模型部品１０５を接続部材１０６から容易に切り離すことができる。これにより、指の疲れを感じさせることなく作業を行うことができる。また、樹脂性材料により形成しているので、小型軽量化が可能になり、さらにコストも小さく、安価に提供することができる。
【００３７】
(本考案に係る模型用樹脂成形部品の一実施例)
図９は、本考案に係る模型部品分離治具１０を使用して、接続部材１０６から模型部品１０５を容易に切り離すのに適した本考案に係る模型部品アッセンブリ板の一実施例を示すものである。同図において、本実施例における模型部品アッセンブリ板２００は、治具本体部１１の裏面と対応している接続部材１０６の左右側面に、それぞれ該接続部材１０６から外側へ向かってほぼ直角に延設している枝部２０１,２０１を接続部材１０６と一体に形成して設けたもので、他の構成は図５〜図８に示した模型部品アッセンブリ板１００と同じである。
【００３８】
次に、前記模型部品分離治具１０を使用して、この模型部品アッセンブリ板２００から模型部品１０５を分離する動作を、図１０乃至図１２を使用して説明する。まず、図１０(ａ)に示すように取り外す模型部品１０５を保持している接続部材１０６にスリット溝１７を対応させて、模型部品１０５の上側から模型部品分離治具１０を模型部品アッセンブリ板２００に臨ませる。また、さらに模型部品分離治具１０を模型部品アッセンブリ板２００に向けて差し込み、図１０(ｂ)及び図１１,図１２に示すように、爪部１２,１２の各爪先端部１２ａ,１２ａを模型部品１０５の他面１０５ｂ側に掛け止めする。
【００３９】
次いで、治具本体部１１の他端を押し下げると、爪部１２,１２の裏面が接続部材１０６及びこの接続部材１０６に形成されている左右の枝部２０１,２０１とそれぞれ当接し、この接続部材１０６及び左右の枝部２０１,２０１と接触している治具本体部１１の箇所を支点にして、治具本体部１１が爪部１２,１２と共に回転し、このとき爪部１２,１２の爪先端部１２ａ,１２ａが模型部品１０５の他面１０５ｂを一面１０５ａ側に押し上げる。この押し上げ力も、てこの作用により接続部材１０６と模型部品１０５との間に大きな力となって働き、模型部品１０５が接続部材１０６の保持部１０７から折損して容易に分離される。
【００４０】
したがって、本考案の実施例に係る模型部品アッセンブリ板２００のように、爪部１２,１２の裏面と対応し、接続部材１０６の左右側面に枝部２０１,２０１を一体に形成したものでは、模型部品分離治具１０を使用して模型部品１０５を分離させるとき、爪部１２,１２が接続部材１０６の左右両側でそれぞれ模型部品１０５の下面に当接することができるので、この模型部品分離治具１０における左右のぐらつきが無くなり、また、押し上げ力が上方向に向かって正確に付与されて、折損が容易に行われることになる。
【００４１】
なお、本実施例における模型部品アッセンブリ板２００では、接続部材１０６の左右両側に枝部２０１,２０１を設けているが、左右いずれか一方に枝部２０１,２０１を設けた構造にしてもよい。
【００４２】
以上、本考案の好ましい実施例について詳述したが、本考案に係る模型部品分離治具及び模型部品アッセンブリ板は上述した実施例に限定されるものではなく、実用新案登録請求の範囲に記載された本考案の要旨の範囲内において、種々の変形、変化が可能である。
【符号の説明】
【００４３】
１０      模型部品分離治具
１１      治具本体部
１１ａ    左右側面の一部
１２      爪部
１２ａ    爪先端部
１３      ヘラ部
１４      補強用側壁
１５      グリップ
１６      リブ
１７      スリット溝
Ｌ        爪部の長さ
１００    模型部品アッセンブリ板(模型用樹脂成形部品)
１０１    メインランナー
１０２    サブランナー
１０３    外周ランナー
１０４    枝ランナー
１０５    模型部品
１０５ａ  表面
１０５ｂ  他面
１０６    接続部材
１０７    保持部
２００    模型部品アッセンブリ板(模型用樹脂成形部品)
２０１    枝部
【図１】
0003157588.tif 000003
【図２】
0003157588.tif 000004
【図３】
0003157588.tif 000005
【図４】
0003157588.tif 000006
【図５】
0003157588.tif 000007
【図６】
0003157588.tif 000008
【図７】
0003157588.tif 000009
【図８】
0003157588.tif 000010
【図９】
0003157588.tif 000011
【図１０】
0003157588.tif 000012
【図１１】
0003157588.tif 000013
【図１２】
0003157588.tif 000014
【手続補正書】
【提出日】平成21年12月2日(2009.12.2)
【手続補正１】
【補正対象書類名】実用新案登録請求の範囲
【補正対象項目名】請求項４
【補正方法】変更
【補正の内容】
【請求項４】
前記治具本体部と前記爪部の表裏面の少なくとも一方の面には、リブが格子状に形成されていることを特徴とする請求項１〜３のいずれか１項に記載の模型部品分離治具。
【手続補正２】
【補正対象書類名】実用新案登録請求の範囲
【補正対象項目名】請求項５
【補正方法】変更
【補正の内容】
【請求項５】
前記治具本体部には、グリップが形成されていることを特徴とする請求項１〜４のいずれか１項に記載の模型部品分離治具。
【手続補正３】
【補正対象書類名】実用新案登録請求の範囲
【補正対象項目名】請求項６
【補正方法】変更
【補正の内容】
【請求項６】
枠部材と、模型部品と、該枠部材と該模型部品を接続している接続部材を一体に成形してなる模型用樹脂成形部品において、
前記接続部材に、該接続部材とほぼ直角に交差している枝部を設けてなり、該枝部は請求項１〜５のいずれか１項に記載の模型部品分離治具の爪部と当接可能であることを特徴とする模型用樹脂成形部品。